(57)【要約】【課題】  本発明は情報伝送装置に関し、取り扱いが容易な情報伝送装置を提供することを目的としている。【解決手段】  光学的画像を電気的画像情報に変換する撮像素子１１と、該撮像素子１１の出力をディジタルデータに変換するＡ／Ｄ変換器１２と、該Ａ／Ｄ変換器１２の出力から画像データを得る信号処理回路１３とを備えたカメラ部１０と、画像データを無線送信するために、該画像データを時分割多元フレームに組み立てる時分割多元接続制御部２５と、該時分割多元接続制御部２５から出力される画像データを無線送信する無線送信手段２７とを備えた携帯電話部２０とからなり、前記カメラ部１０の撮影レンズを、前記撮影レンズを使用者と向き合うように装置外観上の前記携帯電話部のスピーカ２３ｂが配置されている側とは異なる側に配置して構成する。【選択図】      図２
2005065316.tif 000002
【特許請求の範囲】
【請求項１】
光学的画像を電気的画像情報に変換する撮像素子と、
該撮像素子の出力をディジタルデータに変換するＡ／Ｄ変換器と、
該Ａ／Ｄ変換器の出力から画像データを得る信号処理回路とを備えたカメラ部と、
画像データを無線送信するために、該画像データを時分割多元フレームに組み立てる時分割多元接続制御部と、
該時分割多元接続制御部から出力される画像データを無線送信する無線送信手段とを備えた携帯電話部と、
からなり、
電話として使用する時、
前記カメラ部の撮影レンズを、使用者と向き合うように、装置外観上の前記携帯電話部のスピーカが配置されている側とは、異なる側に配置したことを特徴とする情報伝送装置。
【請求項２】
光学的画像を電気的画像情報に変換する撮像素子と、
該撮像素子の出力をディジタルデータに変換するＡ／Ｄ変換器と、
該Ａ／Ｄ変換器の出力から画像データを得る信号処理回路とを備えたカメラ部と、
画像データを無線送信するために、該画像データを時分割多元フレームに組み立てる時分割多元接続制御部と、
該時分割多元接続制御部から出力される画像データを無線送信する無線送信手段とを備えた携帯電話部と、
からなり、
電話として使用する時、
前記カメラ部の撮影レンズを、使用者と向き合うように、装置外観上の前記携帯電話部のマイクが配置されている側とは、異なる側に配置したことを特徴とする情報伝送装置。
【請求項３】
光学的画像を電気的画像情報に変換する撮像素子と、
該撮像素子の出力をディジタルデータに変換するＡ／Ｄ変換器と、
該Ａ／Ｄ変換器の出力から画像データを得る信号処理回路とを備えたカメラ部と、
画像データを無線送信するために、該画像データを時分割多元フレームに組み立てる時分割多元接続制御部と、
該時分割多元接続制御部から出力される画像データを無線送信する無線送信手段とを備えた携帯電話部と、
からなり、
電話として使用する時、
前記カメラ部の撮影レンズを、使用者と向き合うように、装置外観上の前記携帯電話部のスピーカとマイクが配置されている側とは、異なる側に配置したことを特徴とする情報伝送装置。
【請求項４】
前記撮影レンズが配置されている側が、装置外観上の、前記携帯電話部のマイクが配置されている側の反対の側であることを特徴とする請求項１又は３記載の情報伝送装置。
【請求項５】
前記撮影レンズが配置されている側は、装置外観上の、前記携帯電話部のスピーカが配置されている側の反対の側であることを特徴とする請求項２又は３記載の情報伝送装置。
【発明の詳細な説明】
【技術分野】
【０００１】
本発明は情報伝送装置に関し、更に詳しくは、光学的画像を電気的画像情報に変換する撮影部及び前記撮影部で撮影した電気的画像情報をディジタルデータとして記録する記録部を有するディジタルスチルビデオカメラ部と、無線通話機能を備えた携帯電話部とを有する情報伝送装置に関する。
【背景技術】
【０００２】
画像情報を伝送する方式としては、例えば電話回線を利用してＩＳＤＮを用いてパケット転送する方式（例えば特許文献１参照）や、ＩＤ番号を付与して特定の再生ユニットに分配転送する方式（例えば特許文献２参照）等が知られている。
【０００３】
ところで、スチルビデオカメラは、それまでのアナログ記録方式からディジタル記録方式に移行しつつある。記録媒体としては、メモリカード，超小型ハードディスク等が考えられている。しかしながら、これらの記録媒体はまだ高価であり、容量的にも長期にわたり画像を記録するには十分でない。このため、撮影後、光磁気ディスク等の大容量の記録媒体に記憶しなおし、カードを使い回す方法が考えられている。
【特許文献１】特願平３−２１６０９４号公報（第２頁、第３頁、第１図）
【特許文献２】特願平３−２５５７９４号公報（第３頁、第４頁、第１図）
【発明の開示】
【発明が解決しようとする課題】
【０００４】
しかしながら、遠隔地での撮影には前記したようなカードを使い回す方法は不便であり、高価なメモリカードを複数枚持ち歩く必要がある。画像情報をディジタル化することによる長所として、遠隔地から劣化なく画像を送れ、コンピュータに容易に取り込めるという利点があるが、現在伝送装置やコンピュータへの入力装置等はそれぞれ独立しており携帯には不便である。また、伝送装置については同機種間でしか伝送できないという問題がある。
【０００５】
一方、無線電話通信の分野では、１９９３年以降、携帯型情報端末の実用化が予定されており、それに伴い無線機とネットワークの整備が考えられている。無線ネットワークの通信方式としては、次世代携帯電話であるセルラ電話（セルラホーンともいう）が有力であり、この携帯電話は出力電圧が低いため小型化することが容易であり、他の機器との融合が考えられる。また、一般回線とも接続できるため、既存のパソコン通信等のサービスも利用することができる。
【０００６】
そこで、携帯に便利で画像記録用のメモリカードを複数枚持ち歩く必要のない情報伝送装置の実現が待たれている。
一方、この種の情報伝送装置にあっては、ディジタルスチルビデオカメラとしての操作や携帯電話としての操作がなされるため、取り扱いが容易であることが要求される。
【０００７】
本発明はこの後者の課題に鑑みてなされたものであって、取り扱いが容易な情報伝送装置を提供することを目的としている。
【課題を解決するための手段】
【０００８】
（１）請求項１記載の発明は、光学的画像を電気的画像情報に変換する撮像素子と、該撮像素子の出力をディジタルデータに変換するＡ／Ｄ変換器と、該Ａ／Ｄ変換器の出力から画像データを得る信号処理回路とを備えたカメラ部と、画像データを無線送信するために、該画像データを時分割多元フレームに組み立てる時分割多元接続制御部と、該時分割多元接続制御部から出力される画像データを無線送信する無線送信手段とを備えた携帯電話部とからなり、電話として使用する時、前記カメラ部の撮影レンズを、使用者と向き合うように、装置外観上の前記携帯電話部のスピーカが配置されている側とは、異なる側に配置したことを特徴とする。
【０００９】
（２）請求項２記載の発明は、光学的画像を電気的画像情報に変換する撮像素子と、該撮像素子の出力をディジタルデータに変換するＡ／Ｄ変換器と、該Ａ／Ｄ変換器の出力から画像データを得る信号処理回路とを備えたカメラ部と、画像データを無線送信するために、該画像データを時分割多元フレームに組み立てる時分割多元接続制御部と、該時分割多元接続制御部から出力される画像データを無線送信する無線送信手段とを備えた携帯電話部とからなり、電話として使用する時、前記カメラ部の撮影レンズを、使用者と向き合うように、装置外観上の前記携帯電話部のマイクが配置されている側とは、異なる側に配置したことを特徴とする。
【００１０】
（３）請求項３記載の発明は、光学的画像を電気的画像情報に変換する撮像素子と、該撮像素子の出力をディジタルデータに変換するＡ／Ｄ変換器と、該Ａ／Ｄ変換器の出力から画像データを得る信号処理回路とを備えたカメラ部と、画像データを無線送信するために、該画像データを時分割多元フレームに組み立てる時分割多元接続制御部と、該時分割多元接続制御部から出力される画像データを無線送信する無線送信手段とを備えた携帯電話部とからなり、電話として使用する時、前記カメラ部の撮影レンズを、使用者と向き合うように、装置外観上の前記携帯電話部のスピーカとマイクが配置されている側とは、異なる側に配置したことを特徴とする。
【００１１】
（４）請求項４記載の発明は、前記撮影レンズが配置されている側が、装置外観上の、前記携帯電話部のマイクが配置されている側の反対の側であることを特徴とする。
（５）請求項５記載の発明は、前記撮影レンズが配置されている側は、装置外観上の、前記携帯電話部のスピーカが配置されている側の反対の側であることを特徴とする。
【発明の効果】
【００１２】
（１）請求項１記載の発明によれば、撮影レンズをスピーカが配置されている側と異なる側に配置することで、最も取り扱いに注意を要する撮影レンズは頬に向き合わず、頬との接触で撮影レンズを汚すことはない。このため、取り扱いが容易になる。
【００１３】
（２）請求項２記載の発明によれば、撮影レンズをマイクが配置されている側と異なる側に配置することで、最も取り扱いに注意を要する撮影レンズは頬に向き合わず、頬との接触で撮影レンズを汚すことはない。このため、取り扱いが容易になる。
【００１４】
（３）請求項３記載の発明によれば、撮影レンズをスピーカ並びにマイクが配置されている側と異なる側に配置することで、最も取り扱いに注意を要する撮影レンズは頬に向き合わず、頬との接触で撮影レンズを汚すことはない。このため、取り扱いが容易になる。
【００１５】
（４）請求項４記載の発明によれば、撮影レンズの配置側をスピーカが配置されている側の反対側に設定することにより、取り扱いが容易になる。
（５）請求項５記載の発明によれば、撮影レンズの配置側をマイクが配置されている側の反対側に設定することにより、取り扱いが容易になる。
【発明を実施するための最良の形態】
【００１６】
以下、図面を参照して本発明の実施の形態例を詳細に説明する。図１は本発明の形態例の電気的構成を示す原理ブロック図である。図において、１０は画像情報をディジタル的に読み取るディジタルスチルビデオカメラ部、２０は無線通話機能を備えた携帯電話部としてのセルラ電話部、１はこれらディジタルスチルビデオカメラ部１０とセルラ電話部２０が共通接続されるバス、２は該バス１に接続され、前記ディジタルスチルビデオカメラ部１０とセルラ電話部２０の動作制御を行なう１つの制御部である。
【００１７】
このように構成された装置において、ディジタルスチルビデオカメラ部１０とセルラ電話部２０がバス１を介して融合されている。従って、ディジタルスチルビデオカメラ部１０で得られた画像情報を必要に応じてセルラ電話部２０から遠隔地に無線伝送できる。この結果、ディジタルスチルビデオカメラ部１０で得られた画像情報をメモリカードに記録する必要はなくなる。また、無線通信手段として次世代携帯電話機であるセルラ電話を用いるので、携帯に便利である。
【００１８】
図２は本発明の形態例の電気的構成を示す詳細ブロック図である。図１と同一のものは、同一の符号を付して示す。図より明らかなように、ディジタルスチルビデオカメラ部１０とセルラ電話部２０がバス１を介して融合されている。そして、これらディジタルスチルビデオカメラ部１０とセルラ電話部２０は１つの制御部であるＣＰＵ２でその動作が制御されるようになっている。３は電話番号や各種コマンド等を入力する入力部、４は各種情報を表示する表示部である。入力部３としては、例えばテンキーやファンクションキー等を含むキー群が用いられる。
【００１９】
ディジタルスチルビデオカメラ部１０において、１１は光学的画像を電気的画像情報に変換する撮影部としてのＣＣＤ、１２はＣＣＤ１１の出力をディジタルデータに変換するＡ／Ｄ変換器、１３は該Ａ／Ｄ変換器１２の出力を受けて、テレビ信号やＲ，Ｇ，Ｂ等の信号に変換する信号処理回路である。１４は該信号処理回路１３の出力を受けるメモリコントロール回路、１５は該メモリコントロール回路１４の制御の下で信号処理回路１３の出力を記憶するフレームメモリである。該フレームメモリ１５には、１画面単位の画像情報が記憶される。
【００２０】
１６はフレームメモリ１５に記憶されている画像データを読み出して、圧縮する他、入力された圧縮画像データを伸張する圧縮伸張回路、１７は画像情報をディジタルデータとして記録する記録部としてのメモリカード、１８は該メモリカード１７への情報の書き込みと、読み出しの制御を行なうメモリカードインタフェース（Ｉ／Ｆ）である。構成要素１２〜１６，１８は画像情報をメモリカード１７に記憶する記憶手段を構成している。また、メモリカードインタフェース１８は、メモリカード１７の未記録領域の有無を判断する判断手段を構成している。また、メモリカードインタフェース１８は、メモリカード１７内の画像情報をセルラ電話部２０に伝送する伝送手段を構成している。メモリカード１７には、画像情報が例えば３０枚（フレーム）記憶できるようになっている。
【００２１】
セルラ電話部２０において、２１はディジタルスチルビデオカメラ部１０から伝送されてきた画像情報を一時的に蓄える一時記憶手段としての転送用メモリ、２２は送り先の情報を記憶している記憶手段としての送り先登録用メモリである。２３はアナログ信号とディジタル信号との相互変換を行なうＰＣＭコーデック、トーンリンガを出力するトーンリンガよりなるＰＣＭコーデック・トーンリンガ部である。２３ａはこのＰＣＭコーデック・トーンリンガ部２３に接続されるマイク、２３ｂは同じくこのＰＣＭコーデック・トーンリンガ部２３に接続されるスピーカである。
【００２２】
２４は音声の圧縮と復調を行なうＡＤＰＣＭ変換部である。このＡＤＰＣＭ変換部２４は、音声信号を伝送する時には圧縮し、音声信号を受信する時には復調する。２５は音声データ，制御データ及び画像データ等から時分割多元化フレームに組み立て／分解するための時分割多元接続制御部である。該時分割多元接続制御部２５は、無線基地局との認識番号（ＩＤ）のやりとりを常時行っている。そして、該時分割多元接続制御部２５は、セルラ電話部の通信情報により現在位置を検出する位置検出手段としての機能も有している。
【００２３】
２６は伝送信号の変調／復調を行なうモデム、２７は該モデム２６と接続され、情報を無線通信するための無線部、２８は無線伝送用のアンテナである。ＣＰＵ２は、時分割多元接続制御部２５からの情報により、送り先登録用メモリ２２に記憶されている送り先のリストから、送り先を選択する選択手段を構成している。また、モデム２６と無線部２７は、１つのＣＰＵ２からの情報に基づいて転送用メモリ２１内の画像情報を送信する送信手段を構成している。以上説明した各構成要素は、バス１を介して情報の相互転送ができるようになっている。このように構成された装置の動作を説明すれば、以下のとおりである。
【００２４】
ＣＣＤ１１上に結像された光学的画像は、電気的画像情報に変換され、続くＡ／Ｄ変換器１２によりディジタルデータに変換される。このディジタル画像データは、信号処理回路１３に入って信号処理される。信号処理された後、メモリコントロール回路１４を介してフレームメモリ１５に一旦蓄えられる。
【００２５】
フレームメモリ１５に蓄えられた画像情報は、メモリコントロール回路１４を介して圧縮伸張回路１６に送られ、画像圧縮される。画像圧縮された画像情報は、メモリカードインタフェース１８を介してメモリカード１７に記録される。これら一連の動作は、ＣＰＵ２により制御される。
【００２６】
ＣＰＵ２の制御下にメモリカード１７に画像情報が記憶されていく過程において、メモリカードインタフェース１８はメモリカード１７の未記録領域がどれくらいあるか常時監視している。そして、該メモリカードインタフェース１８が未記録領域が無くなったことを検出したら、メモリカードインタフェース１８はその旨をＣＰＵ２に通知する。
【００２７】
ＣＰＵ２は、この通知を受けたら、ＰＣＭコーデック・トーンリンガ部２３を介して、警告音を出す。それと同時に、ＣＰＵ２は、メモリカードインタフェース１８を起動し、メモリカード１７の内容を転送用メモリ２１に転送する。次に、ＣＰＵ２は現在位置の検出動作を始める。以下に現在位置の検出方法について説明する。
【００２８】
セルラ電話部２０は、最寄りの無線基地局と交信することによって通話を行なうものであり、セルラ電話部２０は頻繁に最寄りの無線基地局と交信して、自己の識別信号（ＩＤ番号）を無線基地局に送信する。これにより、複数ある無線基地局と、個々のセルラ電話部２０とが対応づけられて上位局に登録されてるようになっている。
【００２９】
図３は無線通信ネットワークの構成例を示すブロック図である。図において、２０Ａはセルラ電話で、図２のセルラ電話部２０と対応している。３０はセルラ電話２０Ａと交信を行っている無線基地局である。セルラ電話の場合、各無線基地局３０の通信可能エリアは数１００ｍ程度である。これら無線基地局３０は複数まとめて無線回線制御局３１と接続されている。そして、各無線回線制御局３１は携帯電話交換局３２と接続されている。携帯電話交換局３２は、統括局３３と接続されている。このように構成されたネットワークにおいて、セルラ電話２０Ａと交信している無線基地局３０が特定され、統括局３３に登録される。一方、セルラ電話２０Ａには、交信している無線基地局３０の認識番号が記憶される。
【００３０】
従って、相手のセルラ電話２０Ａに対して電話をかけると、その相手のセルラ電話の識別番号に基づいて最寄りの無線基地局３０が検索され、この検索された無線基地局３０と回線を接続し、該無線基地局３０が相手のセルラ電話を呼び出して交信通話が行われる。セルラ電話２０Ａは、無線基地局３０からの電波を常時、受信しているが、自己の識別番号で呼び出されない限り、無線交信は行わない。
【００３１】
このように、セルラ電話２０Ａは常に最寄りの無線基地局３０と対応付けされるようになっているから、交信相手の固定された無線基地局３０の位置によって、セルラ電話２０Ａの現在位置をほぼ特定できることになる。即ち、あるセルラ電話２０ＡがＡ地点に設置された無線基地局３０を最寄りの基地局として交信する場合には、複数設置された無線基地局３０の中のＡ地点の基地局エリア内にセルラ電話２０Ａが位置していることが判断できる。
【００３２】
再び、図２のブロック図の説明に戻る。現在位置の検出動作を開始したＣＰＵ２は、時分割多元接続制御部２５から最寄りの無線基地局３０の認識信号を得る。無線基地局３０の認識信号を得たＣＰＵ２は、その現在位置を割り出す。そして、送り先登録用メモリ２２を検索し、当該送り先メモリ２２に記憶されている送り先のリストの中から、最も近い送り先（電話回線に接続されたパソコンやパソコン通信のアクセスポイント）の電話番号乃至はＩＤ番号を選択する。接続距離を短くすることにより、回線使用料（通話料金）を節約することができる。
【００３３】
次に、ＣＰＵ２は、選択した電話番号（又はＩＤ番号）をＰＣＭコーデック中トーンリンガ部２３のトーンリンガ部に送り、電話番号の信号を発信し、回線を接続する動作を開始する。ここで、一定時間経っても相手が出ない時は、送り先登録用メモリ２２に記憶されている送り先リストの中から、次に近い所を選択し、回線を接続する動作を開始する。
【００３４】
回線が接続されると、ＣＰＵ２は転送用メモリ２１に記憶されている画像データを時分割多元接続制御部２５に送り、画像データの転送を開始する。時分割多元接続制御部２５から出力される画像データはモデム２６に入って変調された後、無線部２７からアンテナ２８を介して隣接する無線基地局３０に無線転送される。無線基地局３０では、この無線伝送データを受信すると、相手先に転送する。相手先がパソコンであった場合、パソコンに付属のハードディスク装置に画像データが順次格納されていくことになる。
【００３５】
なお、時分割多元接続制御部２５から画像データを送信する時、現在の情報伝送装置の位置の情報も追加して送ることもできる。
以上、ディジタルスチルビデオカメラで得られた画像情報の無線伝送の場合について説明した。本発明ではセルラ電話部２０が付属しているので、セルラ電話としても用いることができる。この場合には、相手先に電話をかける場合には、入力部３から相手先電話番号を入力する。この電話番号は、ＰＣＭコーデック・トーンリンガ部２３から相手先に送信される。相手先電話番号は、ＡＤＰＣＭ変換部２４→時分割多元接続制御部２５→モデム２６→無線部２７→アンテナ２８を介して無線基地局３０に送られる。
【００３６】
無線基地局３０はこの相手先電話番号を受信すると、回線に乗せて交換局に送る。交換局では、相手先電話番号との間に回線を接続する。この結果、セルラ電話部２０と相手方電話機（通常の電話機でもセルラ電話でもよい）との間に回線が接続される。セルラ電話部２０から相手に音声を送る場合には、マイク２３ａから入力する。ＰＣＭコーデック・トーンリンガ部２３は、入力された音声アナログ信号をディジタル信号に変換する。
【００３７】
この音声信号は、ＡＤＰＣＭ変換部２４で信号圧縮された後、時分割多元接続制御部２５を介してモデム２６に送られ変調される。このモデム２６の出力は、無線部２７を介してアンテナ２８から無線送信される。
【００３８】
一方、相手方から送信されてくる音声信号は、アンテナ２８で受信され、無線部２７を介してモデム２６に入る。モデム２６で復調された音声信号は、時分割多元接続制御部２５を介してＡＤＰＣＭ変換部２４に入り、元の信号に復元される。復元された音声ディジタル信号は、ＰＣＭコーデック・トーンリンガ部２３に入り、コーデック部でアナログ音声信号に復元された後、スピーカ２３ｂから音声として出力される。
【００３９】
図４は図２の形態例の画像転送時の動作を示すフローチャートである。先ず、メモリカードインタフェース１８は、メモリカード１７に未記録領域があるかどうかチェックする（Ｓ１）。ある場合には、メモリカード１７への画像情報書き込み動作を続行する。未記録領域がなくなった場合には、メモリカードインタフェース１８はその旨をＣＰＵ２に通知する。ＣＰＵ２は、この通知を受けると、スピーカ２３ｂから警告音を発生させる（Ｓ２）。
【００４０】
次に、ＣＰＵ２は、メモリカードインタフェース１８を制御し、メモリカード１７内の画像情報を転送用メモリ２１に転送する（Ｓ３）。次に、ＣＰＵ２は、最寄りの無線基地局３０の認識信号の受信を行なう（Ｓ４）。この認識信号により、ＣＰＵ２は自己がどの場所にいるか認識することができる。自己のいる場所が分かったら、ＣＰＵ２は送り先登録用メモリ２２を検索して送り先のリストから最も近い送り先を選択する（Ｓ５）。
【００４１】
次に、ＣＰＵ２は送り先の電話番号（パソコン通信の場合には相手先のＩＤ番号であってもよい）を無線部２７から発信する（Ｓ６）。そして、回線が接続されたかどうかチェックする（Ｓ７）。回線が接続された場合には、転送用メモリ２１に記憶されている画像情報を発信する（Ｓ９）。回線が接続されない場合には、次に近い相手先を選択して（Ｓ８）、送り先の電話番号を発信する。
【００４２】
図５は本発明の他の形態例の電気的構成を示すブロック図である。図２と同一のものは、同一の符号を付して示す。この第２の形態例は、図２に示す形態例と比較して画像データ一時保管用の転送用メモリが無いだけで、その他の構成は図２に示す第１の形態例と同じである。従って、この形態例では、画像データを伝送する時に、メモリカード１７から読み出したデータをそのまま伝送することになる。このように構成された装置の動作を、図６に示すフローチャートを参照しつつ説明すれば、以下のとおりである。
【００４３】
先ず、メモリカードインタフェース１８は、メモリカード１７に未記録領域があるかどうかチェックする（Ｓ１）。ある場合には、メモリカード１７への画像情報書き込み動作を続行する。未記録領域がなくなった場合には、メモリカードインタフェース１８はその旨をＣＰＵ２に通知する。ＣＰＵ２は、この通知を受けると、スピーカ２３ｂから警告音を発生させる（Ｓ２）。
【００４４】
次に、ＣＰＵ２は、最寄りの無線基地局３０の認識信号の受信を行なう（Ｓ３）。この認識信号により、ＣＰＵ２は自己がどの場所にいるか認識することができる。自己のいる場所が分かったら、ＣＰＵ２は送り先登録用メモリ２２を検索して送り先のリストから最も近い送り先を選択する（Ｓ４）。
【００４５】
そして、ＣＰＵ２は送り先の電話番号を無線部２７から発信し（Ｓ５）、回線が接続されたかどうかチェックする（Ｓ６）。回線が接続された場合には、メモリカード１７に記憶されている画像情報をメモリカードインタフェース１８を介して読み出し発信する（Ｓ８）。回線が接続されない場合には、次に近い相手先を選択して（Ｓ７）、送り先の電話番号を発信する。
【００４６】
次に、本発明の形態例の外観形状について説明する。図７は本発明の形態例の外観を示す図である。図に示すように弁当箱型の直方体形状をしている。（ａ）は正面図、（ｂ）は背面図である。図において、３は入力部としてのテンキー及びファンクションキーからなるキー群、５は撮影レンズ、６はファインダ、６ａはファインダアイピース、７はレリーズ、８はストロボ、９は内蔵の電池、２３ａはマイク、２３ｂはスピーカである。（ａ）はディジタルスチルビデオカメラとして用いる時の状態を、（ｂ）はセルラ電話として用いる時の状態をそれぞれ示している。
【００４７】
カメラは機能が中央部に集中し、電話としては機能が両端に集中している方が使いやすい。そこで、カメラの正面の中央部に撮影レンズ５とファインダ６を、端にストロボ８を配置する。また背面のセルラ電話として用いる部分には、両端にマイク２３ａとスピーカ２３ｂを配置する。これにより、カメラをセルラ電話として使用する時、撮影レンズ５が頬に触れず、従って撮影レンズ５を汚すことがなくなる。
【００４８】
すなわち、この形態例では、セルラ電話を使用する時に頬と向き合うマイク２３ａやスピーカ２３ｂが配置された面とは異なる面に、ディジタルスチルビデオカメラ部の撮影レンズ５が配置されているので、最も取り扱いに注意を要する撮影レンズ５は頬に向き合わず、頬との接触で撮影レンズ５を汚すことはなく、取り扱いが容易になる。
【００４９】
また、撮影レンズ５を中央よりスピーカ２３ｂ側に寄せることにより、手で撮影レンズ５を触ることも防ぐことができる。
スピーカ２３ｂは、前述したように、カメラとして使用する時は警告音を出し、セルラ電話として使用する時には通話用スピーカとして機能する。また、警告音については、音量を大きくし、音量を抑えるようにする。以上の機能のために、レリーズ７は手でスピーカ２３ｂを覆わないようにマイク２３ａ側の側面に配置する。
【００５０】
また、内蔵の電池９については装置の部品の中で重く、かつスペースをとる。そのために、電池９はレリーズ７とマイク２３ａが配置されている側に置く。レリーズ７とマイク２３ａが配置される側は、電池９を配置するスペースがあるため、このようにすれば、装置をコンパクトに構成できる。また、装置としては重心がレリーズ７側にあった方が安定し、電話としても重心が下側、つまりマイク２３ａ側にあった方が安定するという利点もある。
【００５１】
図８は本発明の他の形態例の外観を示す図である。図７と同一のものは、同一の符号を付して示す。図に示す装置も、弁当型の直方体形状をなしている。そして、この形態例は横型装置として用いられる。撮影レンズ５は、側面の中央部に配置し、マイク２３ａとスピーカ２３ｂは箱の両端に配置する。この場合、電池９をリレーズ７とマイク２３ａ側に置くのは図７に示す形態例と変わりはないが、スピーカ２３ｂ側にファインダ６を配置する。更に、レリーズ７，マイク２３ａ及びスピーカ２３ｂが同一平面上に設けられている。このような構成をとることにより、セルラ電話として用いる場合と、ディジタルスチルビデオカメラとして用いる時の操作性が向上する。
【００５２】
図９は本発明の他の形態例の外観を示す図である。図８と同一のものは、同一の符号を付して示す。この形態例では、一方の平面にレリーズ７が設けられ、マイク２３ａ，スピーカ２３ｂ及びキー群３が反対側の平面に設けられている。このような構成にしても、操作性のよい装置を実現することができる。
【００５３】
図１０は本発明の他の形態例の外観を示す図である。図７と同一のものは、同一の符号を付して示す。この形態例も弁当型の直方体形状をなしている。そして、マイク２３ａ，スピーカ２３ｂ及び撮影レンズ５が同じ面にある場合を示している。従って、セルラ電話として用いる場合も、ディジタルスチルビデオカメラとして用いる場合も、同じ面を用いるようになっている。（ａ）はディジタルスチルビデオカメラとして用いる場合を、（ｂ）はセルラ電話として用いる場合を示している。この形態例では、キー群３を開閉自在の板４０の上に形成している。また、レリーズ７は側面に設けられている。
【００５４】
マイク２３ａとスピーカ２３ｂと撮影レンズ５とが同じ面にある場合、セルラ電話として使用する場合に、撮影レンズ５が頬に触れる可能性があるため、セルラ電話として使用する場合には、（ｂ）に示すようにキー群３を乗せている板４０で撮影レンズ５をカバーして使用する。ディジタルスチルビデオカメラとして使用する時には、（ａ）に示すようにキー群３を乗せている板４０を持ち上げて解放し、撮影レンズ５を露出して使用する。
【００５５】
この時、ストロボ８は板４０の裏面に配置することにより、スペース効率がよくなり、また撮影レンズ５とストロボ８が離れるため、ストロボ撮影時の所謂“赤目（人物の眼が赤く見える現象）”が出にくくなる。電池９とマイク２３ａとレリーズ７の相対位置関係は図７に示す形態例と同じであり、スピーカ２３ｂとマイク２３ａとは面の両端に配置されている。
【００５６】
図１１，図１２は本発明の他の形態例の外観を示す図である。図７と同一のものは、同一の符号を付して示す。そして、これら形態例は、縦型装置として用いる場合を示している。いずれも、弁当型の直方体形状をなしている。図１１に示す形態例は、撮影レンズ５が背面（スピーカ２３ｂとマイク２３ａが配置されている面の反対の面）に配置されている場合を示している。
【００５７】
図１２に示す形態例は、撮影レンズ５及びファインダ６が側面に配置されている場合を示している。図１１，図１２に示す形態例は、共に電池９を装置下部、つまりマイク２３ａ側に配置し、セルラ電話として使用する時に、安定になるように重心を下にもってきたものである。これら形態例は縦型装置として使いやすくするために、レリーズ７はいずれも上部側面に配置している。
【００５８】
上述の説明では、携帯電話としてセルラ電話を用いた場合を例にとったが、本発明はこれに限るものではなく、携帯電話であればどのような種類のものであってもよい。また、上述の説明ではカメラとしてディジタルスチルビデオカメラを用いた場合を例にとったが、本発明はこれに限るものではなく、画像情報をディジタルデータとして記録することができるものであれば、どのような種類のカメラであってもよい。
【００５９】
以上、詳細に説明したように、本発明によれば、携帯電話部を使用する時に頬と向き合うスピーカやマイクが配置された面とは異なる面に、ディジタルスチルビデオカメラ部の撮影レンズが配置されている。よって、最も取り扱いに注意を要する撮影レンズは頬に向き合わず、頬との接触で撮影レンズを汚すことはない。このため、取り扱いが容易になる。
【００６０】
また、内蔵電池は装置の部品の中で重くかつスペースをとるが、携帯電話部のマイクが配置される側にはスペースがあるので、ここに電池を配置することで、装置をコンパクトに構成できる。
【図面の簡単な説明】
【００６１】
【図１】本発明の形態例の電気的構成を示す原理ブロック図である。
【図２】本発明の形態例の電気的構成を示す詳細ブロック図である。
【図３】無線通信ネットワークの構成例を示すブロック図である。
【図４】図２の形態例の画像転送時の動作を示すフローチャートである。
【図５】本発明の他の形態例の電気的構成を示すブロック図である。
【図６】図５の構成における画像転送時の動作を示すフローチャートである。
【図７】本発明の形態例の外観を示す図である。
【図８】本発明の他の形態例の外観を示す図である。
【図９】本発明の他の形態例の外観を示す図である。
【図１０】本発明の他の形態例の外観を示す図である。
【図１１】本発明の他の形態例の外観を示す図である。
【図１２】本発明の他の形態例の外観を示す図である。
【符号の説明】
【００６２】
１  バス
２  制御部（ＣＰＵ）
３  入力部
４  表示部
５  撮影レンズ
１０  ディジタルスチルビデオカメラ部
１１  ＣＣＤ
１２  Ａ／Ｄ変換器
１３  信号処理回路
１４  メモリコントロール回路
１５  フレームメモリ
１６  圧縮伸張回路
１７  メモリカード
１８  メモリカードＩ／Ｒ
２０  セルラ電話部（携帯電話部）
２１  転送用メモリ
２２  送り先登録用メモリ
２３  ＰＣＭコーデック・トーンリンガ部
２３ａ  マイク
２３ｂ  スピーカ
２４  ＡＤＰＣＭ変換部
２５  時分割多元接続制御部
２６  モデム
２７  無線部
２８  アンテナ
【図１】
2005065316.tif 000003
【図２】
2005065316.tif 000004
【図３】
2005065316.tif 000005
【図４】
2005065316.tif 000006
【図５】
2005065316.tif 000007
【図６】
2005065316.tif 000008
【図７】
2005065316.tif 000009
【図８】
2005065316.tif 000010
【図９】
2005065316.tif 000011
【図１０】
2005065316.tif 000012
【図１１】
2005065316.tif 000013
【図１２】
2005065316.tif 000014